(57)【要約】【課題】ＭＰＥＧ２−ＴＳ形式のデータをＭＰＥＧ２−ＰＳ形式のデータに、又は、ＭＰＥＧ２−ＰＳ形式のデータをＭＰＥＧ２−ＴＳ形式のデータに変換するトランスコーディングの速度に依存せずに、ＨＤＤ録画されたコンテンツを光ディスクに高速で書き込むことができる光ディスク記録装置を提供する。【解決手段】内蔵のハードディスクに対してデータの読み出しや書き込みを行うＨＤＤ１１と、少なくとも二種類の光ディスクに対してデータの読み出しや書き込みが可能な光ディスクドライブ１２とを備え、ＨＤＤ１１が、ＨＤＤ録画対象のコンテンツをＭＰＥＧ２−ＴＳ形式のデータとＭＰＥＧ２−ＰＳ形式のデータの二種類で前記ハードディスクに保存し、同一コンテンツのＭＰＥＧ２−ＴＳ形式のデータとＭＰＥＧ２−ＰＳ形式のデータを一つのデータとして管理する光ディスク記録装置。【選択図】図１
2009076175.tif 000002
【特許請求の範囲】
【請求項１】
内蔵のハードディスクに対してデータの読み出しや書き込みを行うＨＤＤと、
少なくとも二種類の光ディスクに対してデータの読み出しや書き込みが可能な光ディスクドライブとを備え、
前記ＨＤＤが、ＨＤＤ録画対象のコンテンツをＭＰＥＧ２−ＴＳ形式のデータとＭＰＥＧ２−ＰＳ形式のデータの二種類で前記ハードディスクに保存し、同一コンテンツのＭＰＥＧ２−ＴＳ形式のデータとＭＰＥＧ２−ＰＳ形式のデータを一つのデータとして管理することを特徴とする光ディスク記録装置。
【請求項２】
前記光ディスクドライブが、少なくともＢＤ及びＤＶＤに対してデータの読み出しや書き込みが可能であり、
ＨＤＤ録画されたコンテンツのＢＤへのダビング又はムーブの際には、ＭＰＥＧ２−ＴＳ形式のデータを書き出しデータとしてＢＤに書き込み、ＨＤＤ録画されたコンテンツのＤＶＤへのダビング又はムーブの際には、ＭＰＥＧ２−ＰＳ形式のデータを書き出しデータとしてＤＶＤに書き込む請求項１に記載の光ディスク記録装置。
【請求項３】
システム負荷がかかっているか否かを判定するシステム負荷判定部と、ＭＰＥＧ２−ＴＳ形式のデータをＭＰＥＧ２−ＰＳ形式のデータに変換するＴＳ−ＰＳ変換部とを備え、
ＨＤＤ録画の際、前記ＨＤＤが、前記ＨＤＤ録画対象のコンテンツをＭＰＥＧ２−ＴＳ形式のデータで前記ハードディスクに保存し、前記システム負荷判定部によりシステム負荷がかかっていないと判定された場合に、前記ＴＳ−ＰＳ変換部が、前記ＨＤＤ録画対象のコンテンツのＭＰＥＧ２−ＴＳ形式のデータをＭＰＥＧ２−ＰＳ形式のデータに変換し、前記ＨＤＤが、前記ＴＳ−ＰＳ変換部での変換によって得られた前記ＨＤＤ録画対象のコンテンツのＭＰＥＧ２−ＰＳ形式のデータを保存する請求項２に記載の光ディスク記録装置。
【請求項４】
ＨＤＤ録画されたコンテンツのＢＤ又はＤＶＤへのムーブの際には、同一コンテンツのＭＰＥＧ２−ＴＳ形式のデータとＭＰＥＧ２−ＰＳ形式のデータを一つのデータとして管理するという原則から外れ、前記ＨＤＤが前記書き出しデータとして選択されなかった形式のデータを前記ハードディスクから削除し、その後前記光ディスクドライブがＢＤ又はＤＶＤに前記書き出しデータを書き込む請求項２に記載の光ディスク記録装置。
【発明の詳細な説明】
【技術分野】
【０００１】
本発明は、光ディスク記録装置に関し、特にＨＤＤ（Hard Disk Drive）を有する光ディスク記録装置に関する。
【背景技術】
【０００２】
従来のＨＤＤを有する光ディスク記録装置は、ＭＰＥＧ２−ＴＳ（Transport Stream）形式またはＭＰＥＧ２−ＰＳ（Program Stream）形式にてＨＤＤ録画を行っている。従来のＨＤＤを有する光ディスク記録装置には、デジタル放送番組のＨＤＤ録画はＭＰＥＧ２−ＴＳ形式にて行い、アナログ放送番組或いは外部入力端子に入力される映像音声信号のＨＤＤ録画はＭＰＥＧ２−ＰＳ形式にて行う機種もあれば、ＨＤＤ録画をＭＰＥＧ２−ＴＳ形式に統一している機種もある。
【０００３】
【特許文献１】特開２００３−１０１９２７号公報
【特許文献２】特開２００７−１２２７７１号公報
【特許文献３】特開２００２−１６５１８８号公報
【特許文献４】特開２００４−１５９０８５号公報
【特許文献５】特開２００６−４２３８２号公報
【発明の開示】
【発明が解決しようとする課題】
【０００４】
デジタル放送番組のＨＤＤ録画はＭＰＥＧ２−ＴＳ形式にて行い、アナログ放送番組或いは外部入力端子に入力される外部入力映像音声信号のＨＤＤ録画はＭＰＥＧ２−ＰＳ形式にて行うタイプの従来のＨＤＤを有する光ディスク記録装置では、ＨＤＤ録画されたデジタル放送番組をＢＤ（Blu-ray Disc）に書き込む場合やＨＤＤ録画されたアナログ放送番組或いは外部入力映像音声信号をＤＶＤに書き込む場合には、何ら問題ない。しかしながら、ＨＤＤ録画されたデジタル放送番組をＤＶＤに書き込む場合は、ＭＰＥＧ２−ＴＳ形式のデータをＭＰＥＧ２−ＰＳ形式のデータに変換するトランスコーディングが必要となる。同様に、ＨＤＤ録画されたアナログ放送番組或いは外部入力映像音声信号をＢＤに書き込む場合は、ＭＰＥＧ２−ＰＳ形式のデータをＭＰＥＧ２−ＴＳ形式のデータに変換するトランスコーディングが必要となる。
【０００５】
また、ＨＤＤ録画をＭＰＥＧ２−ＴＳ形式に統一しているタイプの従来のＨＤＤを有する光ディスク記録装置では、ＨＤＤ録画された放送番組或いは外部入力映像音声信号をＢＤに書き込む場合には、何ら問題ない。しかしながら、ＨＤＤ録画された放送番組或いは外部入力映像音声信号をＤＶＤに書き込む場合は、ＭＰＥＧ２−ＴＳ形式のデータをＭＰＥＧ２−ＰＳ形式のデータに変換するトランスコーディングが必要となる。
【０００６】
現在のエンコーダチップでは、ＭＰＥＧ２−ＴＳ形式のデータをＭＰＥＧ２−ＰＳ形式のデータに、又は、ＭＰＥＧ２−ＰＳ形式のデータをＭＰＥＧ２−ＴＳ形式のデータに変換するトランスコーディングに時間がかかる。このため、ＨＤＤ録画されたコンテンツの光ディスクへのダビング又はムーブにおいて、上記トランスコーディングが必要となる場合には、等速ダビング又はムーブになってしまい、高速ダビング又はムーブができないといった問題があった。
【０００７】
なお、特許文献１で提案されているフォーマット変換装置及びフォーマット変換方法は、タイムスタンプ情報が付加された第１のフォーマットのデータストリームを第２のフォーマットのデータ形式に変換するものであって、ＨＤＤ録画されたコンテンツの光ディスクへのダビング又はムーブにおいて、ＭＰＥＧ２−ＴＳ形式のデータをＭＰＥＧ２−ＰＳ形式のデータに、又は、ＭＰＥＧ２−ＰＳ形式のデータをＭＰＥＧ２−ＴＳ形式のデータに変換するトランスコーディングが必要となる場合に、等速ダビング又はムーブになってしまい、高速ダビング又はムーブができないといった問題を解決するものではない。
【０００８】
また、特許文献２で提案されている映像音声データ記録装置、映像音声データ記録方法、及び映像音声データ記録プログラムは、チャプターをダビング前データとして第１の記録媒体から取り出し、第２の記録媒体の形式に変換し、変換後ダビングデータとして出力し、変換後ダビングデータとプレイリストとを結合し、第２の記録媒体にダビング後データとしてダビングするものであって、ＨＤＤ録画されたコンテンツの光ディスクへのダビングにおいて、ＭＰＥＧ２−ＴＳ形式のデータをＭＰＥＧ２−ＰＳ形式のデータに、又は、ＭＰＥＧ２−ＰＳ形式のデータをＭＰＥＧ２−ＴＳ形式のデータに変換するトランスコーディングが必要となる場合に、等速ダビング又はムーブになってしまい、高速ダビング又はムーブができないといった問題を解決するものではない。
【０００９】
また、特許文献３で提案されているコンテンツ配信方法及びコンテンツデータ記録再生方法及び装置は、受信信号からＴＳデータを分離し、ＴＳデータのペイロード部のみを抽出しＰＳデータとしてＨＤＤに記録するものであって、ＨＤＤ録画されたコンテンツの光ディスクへのダビング又はムーブにおいて、ＭＰＥＧ２−ＴＳ形式のデータをＭＰＥＧ２−ＰＳ形式のデータに、又は、ＭＰＥＧ２−ＰＳ形式のデータをＭＰＥＧ２−ＴＳ形式のデータに変換するトランスコーディングが必要となる場合に、等速ダビング又はムーブになってしまい、高速ダビング又はムーブができないといった問題を解決するものではない。
【００１０】
また、特許文献４で提案されている記録再生装置は、ＤＶＤ装置から読み出されたＰＳ形式の信号を出力するとともに、デジタル放送チューナ出力のＴＳ形式の信号をＴＳ形式のままＨＤＤ装置に記録するものであって、ＨＤＤ録画されたコンテンツの光ディスクへのダビング又はムーブにおいて、ＭＰＥＧ２−ＴＳ形式のデータをＭＰＥＧ２−ＰＳ形式のデータに、又は、ＭＰＥＧ２−ＰＳ形式のデータをＭＰＥＧ２−ＴＳ形式のデータに変換するトランスコーディングが必要となる場合に、等速ダビング又はムーブになってしまい、高速ダビング又はムーブができないといった問題を解決するものではない。
【００１１】
また、特許文献５で提案されているストリーム変換装置は、ＰＳ／ＴＳ変換器において、変換後のＴＳを復号する際にＰＣＲを設定し、設定されたＰＣＲを多重しつつＰＳをＴＳに変換するものであって、ＨＤＤ録画されたコンテンツの光ディスクへのダビング又はムーブにおいて、ＭＰＥＧ２−ＴＳ形式のデータをＭＰＥＧ２−ＰＳ形式のデータに、又は、ＭＰＥＧ２−ＰＳ形式のデータをＭＰＥＧ２−ＴＳ形式のデータに変換するトランスコーディングが必要となる場合に、等速ダビング又はムーブになってしまい、高速ダビング又はムーブができないといった問題を解決するものではない。
【００１２】
本発明は、上記の状況に鑑み、ＭＰＥＧ２−ＴＳ形式のデータをＭＰＥＧ２−ＰＳ形式のデータに、又は、ＭＰＥＧ２−ＰＳ形式のデータをＭＰＥＧ２−ＴＳ形式のデータに変換するトランスコーディングの速度に依存せずに、ＨＤＤ録画されたコンテンツを光ディスクに高速で書き込むことができる光ディスク記録装置を提供することを目的とする。
【課題を解決するための手段】
【００１３】
上記目的を達成するために本発明に係る光ディスク記録装置は、内蔵のハードディスクに対してデータの読み出しや書き込みを行うＨＤＤと、少なくとも二種類の光ディスクに対してデータの読み出しや書き込みが可能な光ディスクドライブとを備え、前記ＨＤＤが、ＨＤＤ録画対象のコンテンツをＭＰＥＧ２−ＴＳ形式のデータとＭＰＥＧ２−ＰＳ形式のデータの二種類で前記ハードディスクに保存し、同一コンテンツのＭＰＥＧ２−ＴＳ形式のデータとＭＰＥＧ２−ＰＳ形式のデータを一つのデータとして管理するようにしている。
【００１４】
このような構成によると、ＨＤＤ録画されたコンテンツを光ディスクに高速で書き込む際に、ＭＰＥＧ２−ＴＳ形式のデータをＭＰＥＧ２−ＰＳ形式のデータに、又は、ＭＰＥＧ２−ＰＳ形式のデータをＭＰＥＧ２−ＴＳ形式のデータに変換するトランスコーディングを行わなくて済む。このため、ＭＰＥＧ２−ＴＳ形式のデータをＭＰＥＧ２−ＰＳ形式のデータに、又は、ＭＰＥＧ２−ＰＳ形式のデータをＭＰＥＧ２−ＴＳ形式のデータに変換するトランスコーディングの速度に依存せずに、ＨＤＤ録画されたコンテンツを光ディスクに高速で書き込むことができる。これにより、ＨＤＤ録画されたコンテンツの光ディスクへのダビング又はムーブを行うときのユーザの作業待ち時間を減らすことができる。
【００１５】
また、上記光ディスク記録装置において、前記光ディスクドライブが、少なくともＢＤ及びＤＶＤに対してデータの読み出しや書き込みが可能であり、ＨＤＤ録画されたコンテンツのＢＤへのダビング又はムーブの際には、ＭＰＥＧ２−ＴＳ形式のデータを書き出しデータとしてＢＤに書き込み、ＨＤＤ録画されたコンテンツのＤＶＤへのダビング又はムーブの際には、ＭＰＥＧ２−ＰＳ形式のデータを書き出しデータとしてＤＶＤに書き込むようにしてもよい。
【００１６】
また、前記光ディスクドライブが少なくともＢＤ及びＤＶＤに対してデータの読み出しや書き込みが可能である上記光ディスク記録装置において、システム負荷がかかっているか否かを判定するシステム負荷判定部と、ＭＰＥＧ２−ＴＳ形式のデータをＭＰＥＧ２−ＰＳ形式のデータに変換するＴＳ−ＰＳ変換部とを備え、ＨＤＤ録画の際、前記ＨＤＤが、前記ＨＤＤ録画対象のコンテンツをＭＰＥＧ２−ＴＳ形式のデータで前記ハードディスクに保存し、前記システム負荷判定部によりシステム負荷がかかっていないと判定された場合に、前記ＴＳ−ＰＳ変換部が、前記ＨＤＤ録画対象のコンテンツのＭＰＥＧ２−ＴＳ形式のデータをＭＰＥＧ２−ＰＳ形式のデータに変換し、前記ＨＤＤが、前記ＴＳ−ＰＳ変換部での変換によって得られた前記ＨＤＤ録画対象のコンテンツのＭＰＥＧ２−ＰＳ形式のデータを保存するようにしてもよい。
【００１７】
このような構成によると、システム負荷がかかっていないときに、ＴＳ−ＰＳ変換部が、ＨＤＤ録画対象のコンテンツのＭＰＥＧ２−ＴＳ形式のデータをＭＰＥＧ２−ＰＳ形式のデータに変換するので、ＴＳ−ＰＳ変換部での変換に対して２passエンコードを利用することができ、画質劣化や音質劣化を最小限に抑えることができる。
【００１８】
また、コピー管理の観点から、前記光ディスクドライブが少なくともＢＤ及びＤＶＤに対してデータの読み出しや書き込みが可能である上記光ディスク記録装置において、ＨＤＤ録画されたコンテンツのＢＤ又はＤＶＤへのムーブの際には、同一コンテンツのＭＰＥＧ２−ＴＳ形式のデータとＭＰＥＧ２−ＰＳ形式のデータを一つのデータとして管理するという原則から外れ、前記ＨＤＤが前記書き出しデータとして選択されなかった形式のデータを前記ハードディスクから削除し、その後前記光ディスクドライブがＢＤ又はＤＶＤに前記書き出しデータを書き込むようにしてもよい。
【発明の効果】
【００１９】
本発明に係る光ディスク記録装置によると、ＭＰＥＧ２−ＴＳ形式のデータをＭＰＥＧ２−ＰＳ形式のデータに、又は、ＭＰＥＧ２−ＰＳ形式のデータをＭＰＥＧ２−ＴＳ形式のデータに変換するトランスコーディングの速度に依存せずに、ＨＤＤ録画されたコンテンツを光ディスクに高速で書き込むことができる。
【発明を実施するための最良の形態】
【００２０】
本発明の実施形態について図面を参照して以下に説明する。
【００２１】
本発明に係る光ディスク記録装置の概略構成例を図１に示す。図１に示す光ディスク記録装置１は、デジタルチューナ２と、復調部３と、アナログチューナ４と、外部入力部５と、切替部６と、ＭＰＥＧ２エンコーダ７とを備えている。
【００２２】
さらに、図１に示す光ディスク記録装置１は、ＭＰＥＧ２−ＴＳ形式のデータをＭＰＥＧ２−ＰＳ形式のデータに変換するＴＳ−ＰＳ変換部８と、ＭＰＥＧ２−ＰＳ形式のデータをＭＰＥＧ２−ＴＳ形式のデータに変換するＰＳ−ＴＳ変換部９と、光ディスク記録装置１全体を制御する制御部１０と、内蔵のハードディスクに対してデータの読み出しや書き込みを行うＨＤＤ１１と、ＢＤ及びＤＶＤに対してデータの読み出しや書き込みが可能な光ディスクドライブ１２と、制御部１０の指示に従って、ＨＤＤ録画又は光ディスク録画の際には復調部３の出力信号又はＭＰＥＧ２エンコーダの出力信号を一時的に記録し、ＨＤＤ録画されたコンテンツの光ディスクへのダビング又はムーブの際にはＨＤＤ１１からデータを受け取って一時的に記録するバッファメモリ１３と、各種設定情報を不揮発的に記憶するフラッシュメモリ１４と、リモコン送信機（不図示）から赤外線信号を受信しユーザのリモコン操作に対応するコード信号を制御部１０に出力するリモコン受信部１５と、各種操作ボタンからなりユーザが押圧した操作ボタンに対応するコード信号を制御部１０に出力する操作部１６とを備えている。
【００２３】
なお、ＭＰＥＧ２エンコーダ７、ＴＳ−ＰＳ変換部８、及びＰＳ−ＴＳ変換部９は、一つのエンコーダチップ内に設けられている。ＴＳ−ＰＳ変換部８及びＰＳ−ＴＳ変換部９でのトランスコーディング時のビットレートなどは、ユーザのリモコン操作等により変更可能である。
【００２４】
図１に示す光ディスク記録装置１はいわゆる出力系統の部分も有しているが、本発明の特徴部分とは直接関係しないので、出力系統の部分に関する図示および説明は省略している。また、デジタルチューナ２にはデジタルＴＶ放送受信用アンテナ（不図示）が外部接続され、アナログチューナ４にはアナログＴＶ放送受信用アンテナ（不図示）が外部接続される。
【００２５】
デジタルチューナ２は、地上デジタル放送、ＢＳデジタル放送、１１０°ＣＳデジタル放送の選局が可能であり、制御部１０の指示に従って選局した信号をダウンコンバートして復調部３に出力する。復調部３は、デジタルチューナ２の出力信号をデジタル復調してＭＰＥＧ２−ＴＳ形式のデータを制御部１０に出力する。
【００２６】
アナログチューナ４は、地上アナログ放送の選局が可能であり、制御部１０の指示に従って選局した信号をＩＦ信号にダウンコンバートし、そのＩＦ信号を内蔵のアナログＴＶ復調器により復調して切替部６に出力する。外部入力部５は、外部からのアナログ映像音声信号の入力を受け付け、そのアナログ映像音声信号を切替部６に出力する。切替部６は、制御部１０の指示に従って、アナログチューナ４から出力される信号と外部入力部５から出力される信号のいずれかを選択してＭＰＥＧ２エンコーダ７に出力する。ＭＰＥＧ２エンコーダ７は、切替部６の出力信号をデジタル変換し、ＭＰＥＧ２−ＰＳ形式のデータにエンコードして制御部１０に出力する。
【００２７】
上記構成の図１に示す光ディスク記録装置１におけるＨＤＤ録画の動作について図２を参照して以下に説明する。ユーザのリモコン操作等により、ＨＤＤ録画が指示されると、図２に示すフローの動作が開始する。
【００２８】
まず、ステップＳ１０において、ＨＤＤ録画対象のコンテンツをＭＰＥＧ２−ＴＳ形式でＨＤＤ１１内のハードディスクに保存する。ＨＤＤ録画対象のコンテンツがデジタル放送番組である場合、日本のデジタル放送ではＭＰＥＧ２−ＴＳ形式を採用しているため、ステップＳ１０において、トランスコーディングが不要となる。これに対して、ＨＤＤ録画対象のコンテンツがアナログ放送番組或いは外部からのアナログ映像音声信号で有る場合、ＭＰＥＧ２エンコーダ７の出力信号（ＭＰＥＧ２−ＰＳ形式のデータ）をＰＳ−ＴＳ変換部９でＭＰＥＧ２−ＴＳ形式に変換した上で、ＨＤＤ１１内のハードディスクに保存する。
【００２９】
ステップＳ１０でのＨＤＤ録画が開始されると、ＨＤＤ録画の実行と平行して、制御部１０はシステム負荷がかかっているか否かを判定する（ステップＳ２０）。ＨＤＤ録画時に追っかけ再生などシステム負荷がかかっている場合（ステップＳ２０のＹＥＳ）、ＭＰＥＧ２−ＴＳ形式からＭＰＥＧ２−ＰＳ形式へのトランスコーディングは行わず（ステップＳ３０）、ステップＳ２０での判定を継続する。一方、追っかけ再生なしのＨＤＤ録画時やＨＤＤ録画終了後の待機時などシステム負荷がかかっていない場合（ステップＳ２０のＮＯ）、ステップＳ１０でＨＤＤ１１内のハードディスクに保存されているＭＰＥＧ２−ＴＳ形式のデータを読み出し、ＴＳ−ＰＳ変換部８でＭＰＥＧ２−ＰＳ形式のデータに変換するトランスコーディングを行い、そのトランスコーディングによって得られたＭＰＥＧ２−ＰＳ形式のデータをＨＤＤ１１内のハードディスクに書き込む（ステップＳ４０）。システム負荷がかかっていないときに、ＭＰＥＧ２−ＴＳ形式のデータをＭＰＥＧ２−ＰＳ形式のデータに変換するので、その変換に対して２passエンコードを利用することができ、画質劣化や音質劣化を最小限に抑えることができる。
【００３０】
ステップＳ４０での処理により、ＨＤＤ録画対象のコンテンツをＭＰＥＧ２−ＴＳ形式のデータとＭＰＥＧ２−ＰＳ形式のデータの二種類でＨＤＤ１１内のハードディスクに保存することになる。そして、ＨＤＤ１１は、同一コンテンツのＭＰＥＧ２−ＴＳ形式のデータとＭＰＥＧ２−ＰＳ形式のデータを一つのデータとして管理する。
【００３１】
続いて、図１に示す光ディスク記録装置１におけるＨＤＤ録画されたコンテンツの光ディスクへのダビング又はムーブの動作について図３を参照して以下に説明する。ユーザのリモコン操作等により、ダビング又はムーブが指示されると、図３に示すフローの動作が開始する。
【００３２】
まず、ステップＳ１１０において、制御部１０は、光ディスクドライブ１２を動作させて、光ディスクドライブ１２にセットされている光ディスクの種類、すなわち書き出し先メディアの種類を判別する。
【００３３】
書き出し先メディアがＢＤであれば、制御部１０は、ＨＤＤ１１のハードディスクに保存されているダビング又はムーブ対象コンテンツのＭＰＥＧ２−ＴＳ形式のデータを書き出しデータとして設定し（ステップＳ１２０）、ステップＳ１４０に移行する。一方、書き出し先メディアがＤＶＤであれば、制御部１０は、ＨＤＤ１１のハードディスクに保存されているダビング又はムーブ対象コンテンツのＭＰＥＧ２−ＰＳ形式のデータを書き出しデータとして設定し（ステップＳ１３０）、ステップＳ１４０に移行する。
【００３４】
ステップＳ１４０において、制御部１０は、ユーザのリモコン操作等によりダビング又はムーブを指示した際にリモコン受信部１５又は操作部１６から出力されたコード信号に基づいて、書き出し動作の種類がダビングであるかムーブであるかを判定する。
【００３５】
書き出し動作の種類がダビングであれば、すぐにステップＳ１６０に移行する。一方、書き出し動作の種類がムーブであれば、コピー管理の観点から、同一コンテンツのＭＰＥＧ２−ＴＳ形式のデータとＭＰＥＧ２−ＰＳ形式のデータを一つのデータとして管理するという原則から外れ、書き出しデータとして選択されなかった形式のデータをＨＤＤ１１のハードディスクから削除し（ステップＳ１５０）、ステップＳ１６０に移行する。なお、書き出しデータとして選択されなかった形式のデータとは、書き出し先メディアがＢＤであれば、ムーブ対象コンテンツのＭＰＥＧ２−ＰＳ形式のデータであり、書き出し先メディアがＤＶＤであれば、ムーブ対象コンテンツのＭＰＥＧ２−ＴＳ形式のデータである。
【００３６】
ステップＳ１６０において、光ディスクドライブ１２は、制御部１０の制御に従って、ステップＳ１２０又はステップＳ１３０で設定した書き出しデータを光ディスクに書き込む。なお、ムーブの場合は、書き出しデータの光ディスクへの書き込みが終了した後、書き出しデータをＨＤＤ１１のハードディスクから削除する。
【００３７】
図１に示す光ディスク記録装置１は、上述した図２のフロー動作及び図３に示すフロー動作を行うので、ＨＤＤ録画されたコンテンツを光ディスクに高速で書き込む際に、ＭＰＥＧ２−ＴＳ形式のデータをＭＰＥＧ２−ＰＳ形式のデータに、又は、ＭＰＥＧ２−ＰＳ形式のデータをＭＰＥＧ２−ＴＳ形式のデータに変換するトランスコーディングを行わない。このため、図１に示す光ディスク記録装置１は、ＭＰＥＧ２−ＴＳ形式のデータをＭＰＥＧ２−ＰＳ形式のデータに、又は、ＭＰＥＧ２−ＰＳ形式のデータをＭＰＥＧ２−ＴＳ形式のデータに変換するトランスコーディングの速度に依存せずに、ＨＤＤ録画されたコンテンツを光ディスクに高速で書き込むことができる。これにより、ＨＤＤ録画されたコンテンツの光ディスクへのダビング又はムーブを行うときのユーザの作業待ち時間を減らすことができる。
【図面の簡単な説明】
【００３８】
【図１】は、本発明に係る光ディスク記録装置の概略構成例を示す図である。
【図２】は、図１に示す光ディスク記録装置におけるＨＤＤ録画の動作を示すフローチャートである。
【図３】は、図１に示す光ディスク記録装置におけるＨＤＤ録画されたコンテンツの光ディスクへのダビング又はムーブの動作を示すフローチャートである。
【符号の説明】
【００３９】
１  光ディスク記録装置
２  デジタルチューナ
３  復調部
４  アナログチューナ
５  外部入力部
６  切替部
７  ＭＰＥＧ２エンコーダ
８  ＴＳ−ＰＳ変換部
９  ＰＳ−ＴＳ変換部
１０  制御部
１１  ＨＤＤ
１２  光ディスクドライブ
１３  バッファメモリ
１４  フラッシュメモリ
１５  リモコン受信部
１６  操作部
【図１】
2009076175.tif 000003
【図２】
2009076175.tif 000004
【図３】
2009076175.tif 000005